(57)【要約】【課題】特定の複数のページに対して指定した実行条件の例外を、他の複数のページにも繰り返して指定することが可能な画像形成システム及びプログラムを提供する。【解決手段】画像形成システムは、印刷の実行を指示する印刷指示情報から印刷を実行するために設定された実行条件を示す設定情報を取得する取得手段２０１と、印刷指示情報に含まれる特定の複数のページ画像に対して印刷指示情報から取得した設定情報に係る実行条件と異なる実行条件を例外として指定する第１の指定手段２０３と、特定の複数のページ画像以外の他の複数のページ画像に対して、前記特定の複数のページ画像のページの数ごとに第１の指定手段２０３により指定された例外を繰り返して指定する第２の指定手段２０４とを備える。【選択図】図２
2019186882.tif 000002
【特許請求の範囲】
【請求項１】
印刷の実行を指示する印刷指示情報から前記印刷を実行するために設定された実行条件を示す設定情報を取得する取得手段と、
前記印刷指示情報に含まれる特定の複数のページ画像に対して前記印刷指示情報から取得した前記設定情報に係る前記実行条件と異なる実行条件を例外として指定する第１の指定手段と、
前記特定の複数のページ画像以外の他の複数のページ画像に対して、前記特定の複数のページ画像のページの数ごとに前記第１の指定手段により指定された前記例外を繰り返して指定する第２の指定手段と、
を備える画像形成システム。
【請求項２】
前記第１の指定手段は、前記特定のページ画像に対して印刷媒体の属性について前記例外を指定する、
請求項１に記載の画像形成システム。
【請求項３】
前記第１の指定手段は、前記特定のページ画像に対して当該特定のページ画像が印刷されないことを前記例外として指定する、
請求項１又は２に記載の画像形成システム。
【請求項４】
前記第１の指定手段は、前記特定ページ画像に対して当該特定のページ画像が印刷された前記印刷媒体を排出する排出先について前記例外を指定する、
請求項１から３のいずれか１項に記載の画像形成システム。
【請求項５】
前記設定情報に基づき各ページ画像に対応する複数の小画像を並べて表示する表示制御手段をさらに備える、
請求項１から４のいずれか１項に記載の画像形成システム。
【請求項６】
前記表示制御手段は、前記第１の指定手段又は前記第２の指定手段により前記例外が指定されたページ画像に対応する前記小画像に、前記例外が指定されたことを示す画像情報を付して表示するよう制御する、
請求項５に記載の画像形成システム。
【請求項７】
前記第１の指定手段により例外が指定されたページ画像に対応する前記小画像に付された前記画像情報を第１の画像情報とし、前記第２の指定手段により前記例外が繰り返して指定されたページ画像に対応する前記小画像に付された前記画像情報を第２の画像情報とした場合に、
前記表示制御手段は、前記第１の画像情報と、前記第２の画像情報とを互いに異なる表示態様で表示するよう制御する、
請求項６に記載の画像形成システム。
【請求項８】
前記表示制御手段は、前記第１の指定手段により前記例外が指定されたページ画像の範囲を識別可能に表示するよう制御する、
請求項５から７のいずれか１項に記載の画像形成システム。
【請求項９】
前記表示制御手段は、前記第２の指定手段により前記例外が繰り返して指定されているとき、前記例外の繰り返しが指定されるページ画像の範囲の境界を示す識別画像をさらに表示するよう制御する、
請求項５から８のいずれか１項に記載の画像形成システム。
【請求項１０】
前記表示制御手段は、前記複数の小画像を上下に移動させるとき、前記第１の指定手段により例外が指定されたページ画像に対応する前記小画像が表示されている表示位置を固定して、その他のページ画像に対応する前記小画像を移動して表示するよう制御する、
請求項５から９のいずれか１項に記載の画像形成システム。
【請求項１１】
前記第１の指定手段２０３により指定された前記例外の指定と、前記第２の指定手段２０４により繰り返して指定された前記例外とが重複して行われようとしたとき、警告を出力する警告手段をさらに備える、
請求項１から１０のいずれか１項に記載の画像形成システム。
【請求項１２】
前記第２の指定手段は、前記例外の繰り返しの開始となる開始ページを指定する、
請求項１から１１のいずれか１項に記載の画像形成システム。
【請求項１３】
前記第２の指定手段は、前記例外の繰り返しの終了となる終了ページを指定する、
請求項１２に記載の画像形成システム。
【請求項１４】
一連の印刷データに対して一の書式情報を繰り返し用いて構成される一つの可変印刷の実行を指示する印刷指示情報から前記可変印刷を実行するために設定された実行条件を示す設定情報を取得する取得手段と、
前記印刷指示情報に含まれる特定のページ画像に対して前記印刷指示情報から取得した前記設定情報に係る前記実行条件と異なる実行条件を例外として指定する第１の指定手段と、
前記第１の指定手段により指定された前記例外の指定範囲を、前記特定のページ画像以外の他の複数のページ画像に対して繰り返して指定する第２の指定手段と、
を備える画像形成システム。
【請求項１５】
コンピュータを、
印刷の実行を指示する印刷指示情報から前記印刷を実行するために設定された実行条件を示す設定情報を取得する取得手段と、
前記印刷指示情報に含まれる特定の複数のページ画像に対して前記印刷指示情報から取得した前記設定情報に係る前記実行条件と異なる実行条件を例外として指定する第１の指定手段と、
前記特定の複数のページ画像以外の他の複数のページ画像に対して、前記特定の複数のページ画像のページの数ごとに前記第１の指定手段により指定された前記例外を繰り返して指定する第２の指定手段として、
機能させるためのプログラム。
【発明の詳細な説明】
【技術分野】
【０００１】
本発明は、画像形成システム及びプログラムに関する。
【背景技術】
【０００２】
近年、印刷指示情報（以下、「印刷ジョブ」ともいう。）で設定されている実行条件をページごとに変更する例外の指定が可能な画像形成装置を備えた画像形成システムが提案されている（例えば、特許文献１参照。）。
【０００３】
特許文献１に記載された画像形成システムは、文書を蓄積する文書蓄積手段と、前記文書蓄積手段に蓄積された文書の印刷モードを設定する設定手段と、前記文書蓄積手段に蓄積された文書を編集するとともに、文書編集モードの１つとして文書中に白紙を挿入する白紙挿入モードを有する文書編集手段と、前記文書編集手段による白紙挿入モードで白紙挿入位置と白紙挿入用途を指定する指定手段と、前記設定手段で設定された印刷モードと前記指定手段で指定された白紙挿入用途とに基づいて、前記白紙挿入位置に対する白紙ページの割り当てを制御する制御手段とを備える画像処理装置を有している。
【先行技術文献】
【特許文献】
【０００４】
【特許文献１】特開２００６−２７０７１４号公報
【発明の概要】
【発明が解決しようとする課題】
【０００５】
本発明の課題は、特定のページに対して指定した実行条件の例外を、他のページにも繰り返して指定することが可能な画像形成システム及びプログラムを提供することにある。
【課題を解決するための手段】
【０００６】
［１］印刷の実行を指示する印刷指示情報から前記印刷を実行するために設定された実行条件を示す設定情報を取得する取得手段と、前記印刷指示情報に含まれる特定の複数のページ画像に対して前記印刷指示情報から取得した前記設定情報に係る前記実行条件と異なる実行条件を例外として指定する第１の指定手段と、前記特定の複数のページ画像以外の他の複数のページ画像に対して、前記特定の複数のページ画像のページの数ごとに前記第１の指定手段により指定された前記例外を繰り返して指定する第２の指定手段と、を備える画像形成システム。
［２］前記第１の指定手段は、前記特定のページ画像に対して印刷媒体の属性について前記例外を指定する、前記［１］に記載の画像形成システム。
［３］前記第１の指定手段は、前記特定のページ画像に対して当該特定のページ画像が印刷されないことを前記例外として指定する、前記［１］又は［２］に記載の画像形成システム。
［４］前記第１の指定手段は、前記特定ページ画像に対して当該特定のページ画像が印刷された前記印刷媒体を排出する排出先について前記例外を指定する、前記［１］から［３］のいずれか１つに記載の画像形成システム。
［５］前記設定情報に基づき各ページ画像に対応する複数の小画像を並べて表示する表示制御手段をさらに備える、前記［１］から［４］のいずれか１つに記載の画像形成システム。
［６］前記表示制御手段は、前記第１の指定手段又は前記第２の指定手段により前記例外が指定されたページ画像に対応する前記小画像に、前記例外が指定されたことを示す画像情報を付して表示するよう制御する、前記［５］に記載の画像形成システム。
［７］前記第１の指定手段により例外が指定されたページ画像に対応する前記小画像に付された前記画像情報を第１の画像情報とし、前記第２の指定手段により前記例外が繰り返して指定されたページ画像に対応する前記小画像に付された前記画像情報を第２の画像情報とした場合に、前記表示制御手段は、前記第１の画像情報と、前記第２の画像情報とを互いに異なる表示態様で表示するよう制御する、前記［６］に記載の画像形成システム。
［８］前記表示制御手段は、前記第１の指定手段により前記例外が指定されたページ画像の範囲を識別可能に表示するよう制御する、前記［５］から［７］のいずれか１つに記載の画像形成システム。
［９］前記表示制御手段は、前記第２の指定手段により前記例外が繰り返して指定されているとき、前記例外の繰り返しが指定されるページ画像の範囲の境界を示す識別画像をさらに表示するよう制御する、前記［５］から［８］のいずれか１つに記載の画像形成システム。
［１０］前記表示制御手段は、前記複数の小画像を上下に移動させるとき、前記第１の指定手段により例外が指定されたページ画像に対応する前記小画像が表示されている表示位置を固定して、その他のページ画像に対応する前記小画像を移動して表示するよう制御する、前記［５］から［９］のいずれか１つに記載の画像形成システム。
［１１］前記第１の指定手段２０３により指定された前記例外の指定と、前記第２の指定手段２０４により繰り返して指定された前記例外とが重複して行われようとしたとき、警告を出力する警告手段をさらに備える、前記［１］から［１０］のいずれか１つに記載の画像形成システム。
［１２］前記第２の指定手段は、前記例外の繰り返しの開始となる開始ページを指定する、前記［１］から［１１］のいずれか１つに記載の画像形成システム。
［１３］前記第２の指定手段は、前記例外の繰り返しの終了となる終了ページを指定する、前記［１２］に記載の画像形成システム。
［１４］一連の印刷データに対して一の書式情報を繰り返し用いて構成される一つの可変印刷の実行を指示する印刷指示情報から前記可変印刷を実行するために設定された実行条件を示す設定情報を取得する取得手段と、前記印刷指示情報に含まれる特定のページ画像に対して前記印刷指示情報から取得した前記設定情報に係る前記実行条件と異なる実行条件を例外として指定する第１の指定手段と、前記第１の指定手段により指定された前記例外の指定範囲を、前記特定のページ画像以外の他の複数のページ画像に対して繰り返して指定する第２の指定手段と、を備える画像形成システム。
［１５］コンピュータを、印刷の実行を指示する印刷指示情報から前記印刷を実行するために設定された実行条件を示す設定情報を取得する取得手段と、前記印刷指示情報に含まれる特定の複数のページ画像に対して前記印刷指示情報から取得した前記設定情報に係る前記実行条件と異なる実行条件を例外として指定する第１の指定手段と、前記特定の複数のページ画像以外の他の複数のページ画像に対して、前記特定の複数のページ画像のページの数ごとに前記第１の指定手段により指定された前記例外を繰り返して指定する第２の指定手段として、機能させるためのプログラム。
【発明の効果】
【０００７】
請求項１、１４、１５に係る発明によれば、特定の複数のページに対して指定した実行条件の例外が、他の複数のページにも繰り返して指定される。
請求項２に係る発明によれば、印刷媒体に関わる例外が繰り返して指定される。
請求項３に係る発明によれば、特定のページおきに印刷されないページが挿入される。
請求項４に係る発明によれば、排出先に関わる例外が繰り返して指定される。
請求項５に係る発明によれば、操作者に対して、設定された実行条件がページごとに視覚的に表示される。
請求項６に係る発明によれば、操作者に対して、例外が指定されていることが視覚的に表示される。
請求項７に係る発明によれば、操作者に対して、操作者が直接的に指定した例外と繰り返しにより指定された例外とが区別されて表示される。
請求項８に係る発明によれば、操作者に対して、操作者が直接的に例外を指定したページの範囲がその他のページと視覚的に区別されて表示される。
請求項９に係る発明によれば、操作者に対して、例外の繰り返しの範囲が視覚的に表示される。
請求項１０に係る発明によれば操作者が直接的に例外を指定したページの範囲がスクロール操作によって表示されなくなることが抑制される。
請求項１１に係る発明によれば、操作者に対して、重複した例外が指定しようとしていることが知らされる。
請求項１２に係る発明によれば、先頭の所望のページを例外の繰り返しの指定の対象から除かれる。
請求項１３に係る発明によれば、始点と終点とを指定することによって、例外の繰り返しのページの範囲が指定される。
【図面の簡単な説明】
【０００８】
【図１】図１は、本発明の第１の実施の形態に係る画像形成システムの構成の一例を示す図である。
【図２】図２は、図１に示す画像形成装置の制御系の一例を示すブロック図である。
【図３】図３は、例外の指定の一例を示す図である。
【図４】図４は、繰り返し情報テーブルの一例を示す図である。
【図５Ａ】図５Ａは、指定表示画面の一例を示す図である。
【図５Ｂ】図５Ｂは、図５Ａに示す物理ページ情報を抜き出して示す図である。
【図６】図６は、繰り返し指定画面の一例を示す図である。
【図７】図７は、図５Ａに示す物理ページ情報をスクロールしたときの表示の一例を説明する図である。
【図８】図８（ａ）〜（ｄ）は、警告画面の一例を示す図である。
【図９】図９は、図１に示す端末装置の制御系の一例を示すブロック図である。
【図１０】図１０は、第１の実施の形態に係る画像形成装置の動作の一例を示すフローチャートである。
【図１１】図１１は、変形例に係る指定表示画面を説明する図である。
【図１２】図１２（ａ）〜（ｆ）は、本発明の実施の形態で実現されるバリアブル印刷の一例を説明する図である。
【図１３】図１３は、本発明の第２の実施の形態に係る画像形成システム１の構成の一例を示す図である。
【図１４】図１４は、サーバ装置５の制御系の一例を示すブロック図である。
【図１５】図１５は、第２の実施の形態に係る画像形成システムの動作の一例を示すシーケンス図である。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る画像形成システムは、印刷の実行を指示する印刷指示情報から印刷を実行するために設定された実行条件を示す設定情報を取得する取得手段と、印刷指示情報に含まれる特定の複数のページ画像に対して印刷指示情報から取得した設定情報に係る実行条件と異なる実行条件を例外として指定する第１の指定手段と、特定の複数のページ画像以外の他の複数のページ画像に対して、特定の複数のページ画像のページの数ごとに第１の指定手段により指定された例外を繰り返して指定する第２の指定手段とを備える。
【００１１】
「ページ画像に対して・・例外として指定する」には、例えば、印刷媒体の種類の変更等のような、ページ画像そのものに対して例外を指定することに限らず、例えば、カラーモードの変更等のような、ページ画像を印刷する際の実行条件に対して例外を指定することが含まれる。
【００１２】
［第１の実施の形態］
図１は、本発明の第１の実施の形態に係る画像形成システムの構成の一例を示す図である。この画像形成システム１は、画像形成装置２と、この画像形成装置２にネットワーク４を介して接続された端末装置３とを有して構成されている。
【００１３】
画像形成装置２は、例えば、スキャン機能、プリンタ機能、コピー機能、ファクシミリ機能、電子メール機能等の複数の機能を有する複合機が該当する。なお、画像形成装置２は、プリンタ機能を有しているものであれば、複合機に限られるものではない。また、画像形成装置２には、図１に示すように、情報の入力及び表示を行う操作表示部２３ａを備える操作部２３が設けられている。
【００１４】
端末装置３には、例えば、パーソナルコンピュータや、タブレット型端末、多機能携帯電話機（スマートフォン）等の携帯情報端末装置等を用いることができる。
【００１５】
ネットワーク４は、例えば、ローカルエリアネットワーク（ＬＡＮ）、インターネット、イントラネット、ワイドエリアネットワーク（ＷＡＮ）等であり、有線でも無線でもよい。
【００１６】
（画像形成装置２の構成）
図２は、画像形成装置２の制御系の一例を示すブロック図である。この画像形成装置２は、各部を制御する制御部２０と、各種のデータを記憶する記憶部２１と、上述した操作表示部２３ａを備える操作部２３と、原稿から原稿画像を読み取る画像読取部２４と、画像を印刷出力する画像出力部２５と、端末装置３との間でネットワーク４を介して通信するネットワーク通信部２７とを備える。
【００１７】
制御部２０は、ＣＰＵ（Central Processing Unit）、インターフェース等から構成されている。ＣＰＵは、記憶部２１に記録されたプログラム２１０に従って動作することにより、受付手段２００、取得手段２０１、第１の指定手段２０３、第２の指定手段２０４、確認手段２０５、削除手段２０６、実行手段２０７、表示制御手段２０８等として機能する。表示制御手段２０８は、警告手段の一例でもある。各手段２００〜２０８の詳細については後述する。
【００１８】
記憶部２１は、ＲＯＭ（Read Only Memory）、ＲＡＭ（Random Access Memory）、ハードディスク等から構成され、プログラム２１０、繰り返し情報テーブル２１２、画面情報２１４等の各種データを記憶する。繰り返し情報テーブル２１２及び画面情報２１４についての詳細は後述する。
【００１９】
操作表示部２３ａは、例えば、タッチパネルディスプレイであり、液晶ディスプレイ等のディスプレイにタッチパネルを重合配置した構成を有する。なお、操作表示部２３ａは、表示部と入力部とが独立して設けられたものでもよい。
【００２０】
画像読取部２４は、原稿から原稿画像を読み取るものであり、原稿台上に設けられた自動原稿送り装置（不図示）と、スキャナとを備え、原稿台に配置された原稿、又は自動原稿送り装置により送られた原稿から原稿画像を光学的に読み取る。
【００２１】
画像出力部２５は、例えば、電子写真方式、インクジェット方式等によりカラーの画像又は白黒（「モノクロ」ともいう。）の画像を印刷用紙等の印刷媒体に印刷出力する。
【００２２】
ネットワーク通信部２７は、ＮＩＣ（Network Interface Card）等によって実現され、ネットワーク４を介して端末装置３との間で信号を送受信する。
【００２３】
（各種手段２００〜２０８）
受付手段２００は、端末装置３から送信された印刷ジョブ等の各種情報を受け付ける。印刷ジョブには、印刷データ（画像データ）やこの印刷データの印刷を実行するために設定された実行条件を示す情報（以下、単に「設定情報」ともいう。）等が含まれる。設定情報は、印刷ジョブのプロパティ（すなわち、「ジョブプロパティ」）とも呼ばれる。ジョブプロパティは、印刷ジョブの属性情報の一例である。
【００２４】
なお、印刷ジョブで設定されている実行条件は、印刷データが複数のページ画像から構成されている場合、これら複数のページ画像に対して共通して一律に設定されるものである。なお、以下、ページ画像は、単に「ページ」ともいう。
【００２５】
実行条件には、例えば、印字面、面付け、印字の方向、印刷媒体の種類、カラーモード、印刷媒体のサイズや印刷媒体を供給する給紙トレイ等印刷媒体の属性についての項目や、排出トレイ等印刷媒体が印刷出力後に排出される排出先についての項目が含まれる。
【００２６】
印字面には、例えば、両面、片面の設定値が含まれる。印字の方向には、例えば、原稿の長辺を縦方向にした向きを示す「ポートレート」、原稿の長辺を横方向にした向きを示す「ランドスケープ」等の設定値が含まれる。印刷用紙の種類には、コート紙、光沢紙、普通紙等の設定値が含まれる。カラーモードには、例えば、白黒（モノクロともいう。）、グレースケール、フルカラー等の設定値が含まれる。印刷媒体のサイズには、例えば、Ａ４やＢ５等の規格で表される設定値や、「はがき」のように印刷媒体の名称で表される設定値が含まれる。
【００２７】
「面付け」とは、物理的なページ（以下、単に「物理ページ」ともいう。）上の特定の位置に１つ以上の論理的なページ（以下、単に「論理ページ」ともいう。）を配置することをいう。物理ページとは、印刷媒体上で定義されるページをいう。なお、本明細書では、説明の便宜上、印刷媒体の両面を印刷するときは、表面と裏面とを別々の物理ページとして扱うとともに、印刷媒体に複数の論理ページを割り付けるときは、割り付けられた各領域を別々の物理ページとして扱うものとするが、割り付けられた各領域をまとめて一つの物理ページとして扱ってもよい。
【００２８】
論理ページとは、印刷データ上で定義されるページをいう。「面付け」には、１つの物理ページに複数の論理ページを割り付けることや、論理ページを物理ページの上下左右のいずれかの方向に配置すること等が含まれる。以下、特に記載のない限り、単に「ページ」としたときは、物理ページを指すものとする。
【００２９】
取得手段２０１は、受付手段２００が受け付けた印刷ジョブから設定情報を取得する。
【００３０】
第１の指定手段２０３は、操作者の操作に基づいて、特定のページに対して実行条件の例外の指定を行う。特定のページは、単数でも複数でもよい。特定のページが複数の場合、好ましくは連続するページの範囲として指定するが、例えば、奇数のページのみや偶数のページのみ等のように不連続的に指定してもよい。
【００３１】
「実行条件の例外」とは、印刷ジョブで設定されている実行条件と異なる実行条件をいう。換言すれば、実行条件の例外とは、印刷ジョブの属性情報として複数のページに一律に設定されている実行条件から変更されたものをいう。以下、実行条件の例外を単に「例外」ともいう。
【００３２】
「実行条件の例外の指定」とは、特定のページに対して、当該印刷ジョブで設定されている実行条件と異なる実行条件を設定すること（すなわち、異なる実行条件を例外として指定すること）をいう。換言すれば、実行条件の例外の指定とは、取得手段２０１が取得した設定情報に係る実行条件のうち特定のページに対する実行条件を変更することをいう。
【００３３】
「実行条件の例外の指定」には、例えば、印刷媒体の種類の変更や、合紙を挿入する位置の指定、給紙トレイや排出トレイの指定等が含まれる。ここで、印刷媒体とは、印刷の対象となる画像データが記録される印刷物をいう。印刷媒体には、例えば、雑誌、新聞、ポスター、チラシ、カレンダー、袋、包装紙、官製ハガキ等が含まれる。また、合紙とは、印刷媒体を仕分けるために挿入される紙媒体であって、それ自体には印刷がされないものをいう。以下、「実行条件の例外の指定」を単に「例外の指定」ともいう。
【００３４】
第２の指定手段２０４は、操作者の操作に基づいて、第１の指定手段２０３により指定された例外を他のページに適用するためにパターン化する範囲、すなわち、例外の指定を繰り返す周期（以下、「繰り返し周期」ともいう。）を指定する。換言すれば、第２の指定手段２０４は、第１の指定手段２０３により例外が指定された特定のページ以外の他の複数のページに対して、当該特定のページのページ数ごとに例外を繰り返して指定する。
【００３５】
また、第２の指定手段２０４は、第１の指定手段２０３により例外が指定された特定のページ以外のその他のページ（例えば、当該特定のページの後に続くページ）に対して、操作者の操作により指定された繰り返し周期で当該例外のパターンを繰り返して指定する。
【００３６】
図３を参照して具体例を説明する。図３は、例外の指定の一例を示す図である。一例として、第１の指定手段２０３により、（Ｎ＋１）ページ、（Ｎ＋２）ページ…、（Ｎ＋Ｋ）ページに対して例外が指定された場合を例に挙げて説明する。（Ｎ＋１）ページ、（Ｎ＋２）ページ…、（Ｎ＋Ｋ）ページは、特定のページの一例である。
【００３７】
図３に示すように、第１の指定手段２０３は、操作者の操作に基づいて、（Ｎ＋１）ページ、（Ｎ＋２）ページ…、（Ｎ＋Ｋ）ページに対して例外を指定する。なお、Ｘ１からＸＫは、説明の便宜上定義した実行条件の例外を識別する記号であり、同一の記号は同一の内容の例外が指定されていることを示す。
【００３８】
次に、第２の指定手段２０４は、操作者の操作に基づいて、繰り返し周期を指定する。例えば、繰り返し周期がＫ（ページ）と指定された場合、第２の指定手段２０４は、当該特定のページの次のページに相当する（Ｎ＋Ｋ＋１）ページから、Ｋページの周期で、第１の指定手段２０３が（Ｎ＋１）ページから（Ｎ＋Ｋ）ページに指定した例外のパターン（Ｘ１からＸＫ）を繰り返して指定する。なお、Ｎ、Ｋ、ｊは、自然数である。
【００３９】
第２の指定手段２０４は、例外のパターンが指定されたページの範囲内のページ数を指定することにより繰り返し周期を指定してもよく、ページの範囲の始点と終点とを指定することにより繰り返し周期を指定してもよい。ページの範囲の始点及び終点は、例えば、例外の繰り返しのパターンが開始するページ（以下、「開始ページ」ともいう。）、及び例外の繰り返しのパターンが終了するページ（以下、「終了ページ」ともいう。）を指定することにより指定してもよい。また、以下、第１の指定手段２０３より指定される例外に関する情報、及び第２の指定手段２０４により指定される例外の繰り返しに関する情報を総称するときは「繰り返し情報」ともいう。
【００４０】
第１の指定手段２０３は、指定した例外に関する情報を記憶部２１の繰り返し情報テーブル２１２に記録する。また、第２の指定手段２０４は、指定した例外の繰り返しに関する情報を記憶部２１の繰り返し情報テーブル２１２に記録する。すなわち、第１の指定手段２０３及び第２の指定手段２０４は、繰り返し情報を記憶部２１の繰り返し情報テーブル２１２に記録する。なお、本明細書において、テーブルに情報を書き込む場合に記録を用い、記憶部２１に情報を書き込む場合に記憶を用いる。
【００４１】
確認手段２０５は、あるページに第１の指定手段２０３による例外の指定と、第２の指定手段２０４による例外の繰り返しの指定とが重複して行われていないかどうか（以下、「例外の重複指定」ともいう。）を確認する。第１の指定手段２０３による例外の指定、及び第２の指定手段２０４による例外の繰り返しの指定が行われる順序は問わず、いずれが先に行われた場合であっても、確認手段２０５は、警告表示を行う。
【００４２】
「第１の指定手段２０３による例外の指定と、第２の指定手段２０４による例外の繰り返しの指定とが重複」する場合には、例えば、第２の指定手段２０４によって例外の繰り返しを指定する前に、当該例外を繰り返して指定しようとしているページに既に第１の指定手段２０３により例外が指定されている場合や、第２の指定手段２０４により例外の繰り返しが指定された後に、当該例外が繰り返して指定されたページに対して、第１の指定手段２０３によって新たに例外を指定しようする場合等が含まれる。
【００４３】
削除手段２０６は、操作者の操作に基づいて、第１の指定手段２０３が指定した例外や、第２の指定手段２０４が繰り返して指定した例外の削除を行う。
【００４４】
実行手段２０７は、操作表示部２３ａに表示された画面上で操作者により選択された機能を実行する。特に、実行手段２０７は、記憶部２１の繰り返し情報テーブル２１２に記録された情報に基づき、画像出力部２５を制御して印刷出力を実行する。
【００４５】
表示制御手段２０８は、記憶部２１に記憶された画面情報２１４を参照し、画面情報２１４に対応する各種画面を操作部２３の操作表示部２３ａに表示するよう制御する。具体的に、表示制御手段２０８は、操作部２３の操作表示部２３ａに、各ページに対応する物理ページ情報６５の一覧を含む指定表示画面６（図５参照）を表示するよう制御する。また、表示制御手段２０８は、第１の指定手段２０３及び第２の指定手段２０４の指定に基づいて、指定表示画面６の表示態様を予め定められた表示態様で表示するよう制御する。予め定められた表示態様の詳細は、後述する。
【００４６】
（繰り返し情報テーブル２１２の構成）
図４は、繰り返し情報テーブル２１２の一例を示す図である。繰り返し情報テーブル２１２には、上述した第１の指定手段２０３及び第２の指定手段２０４により指定された繰り返し情報が記録されている。繰り返し情報テーブル２１２には、例えば、「ページ」欄と、「設定情報」欄と、「周期」欄とが設けられている。
【００４７】
「ページ」欄には、対象のページが何ページ目にあたるかを示す数情報（以下、「ページ数情報）ともいう。）が記録されている。「設定情報」欄には、実行条件がページに関連付けられて記録されている。「設定情報」欄に記録されている実行条件は、受付手段２００が受け付けた印刷ジョブで設定された実行条件と、第１の指定手段２０３及び第２の指定手段２０４により指定された例外とを含む。
【００４８】
「設定情報」欄には、例えば、モノクロ（例えば、２階調）、グレースケール（例えば、６４や２５６階調）、カラー等が記録される「カラーモード」欄、コート紙や普通紙等の印刷媒体の種類が記録される「用紙種類」欄、両面か片面かが記録される「印字面」欄、割り付けの方法が記録される「割り付け」欄等がさらに設けられている。なお、「設定情報」欄は、これらの欄に限定されるものではなく、実際に設定が可能な項目に応じて他の欄を適宜設けてもよい。
【００４９】
「周期」欄には、繰り返し周期を示す情報が記録されている。例えば、３ページの繰り返し周期で例外が繰り返して指定されているとき、「１、２、３、１、２、３、・・・」と記録される。
【００５０】
（画面情報２１４）
画面情報２１４は、操作表示部２３ａに表示される各種画面を示す情報である。図５〜図７を参照して、画面情報２１４について説明する。図５Ａは、指定表示画面の一例を示す図である。指定表示画面６は、操作者に実行条件の例外を指定させるとともに設定されている実行条件を表示する画面である。なお、以下の説明において、「表示する」とした場合、特に記述のない限り、画像形成装置２の制御部２０の表示制御手段２０８が画像形成装置２の操作表示部２３ａに表示するよう制御することを示すものとする。
【００５１】
図５Ａに示すように、指定表示画面６には、例えば、実行条件の例外を指定する例外指定領域６０、印刷の対象となる原稿を構成する各論理ページを示す原稿シート表示領域６２、各物理ページに設定された実行条件及び例外の指定の状態（以下、「出力状態」ともいう。）を視覚的に示す出力シート表示領域６４等が含まれる。
【００５２】
例外指定領域６０では、ラジオボタンやプルダルン等で上述した実行条件が選択して指定できるようになっている。原稿シート表示領域６２には、各論理ページに対応する論理ページ情報６３の一覧が並べて表示されている。
【００５３】
論理ページ情報６３には、例えば、論理ページを識別する論理ページアイコン６３０、論理ページのサイズを示す論理ページサイズ情報６３２、論理ページが印刷データにおいて何ページ目にあたるかを示す論理ページ数情報６３４等が含まれる。ここで、アイコンとは、機能を文字、記号、図形を含んで構成されたもの（文字や記号のみで構成されたものも含む。）をいう。
【００５４】
なお、図５Ａに示すように、論理ページ数情報６３４は、数字が図案化された数値画像６３５で示してもよい。論理ページアイコン６３０は、論理ページの内容を縮小して画像化した縮小画像（以下、「サムネイル」ともいう。）で示してもよい。また、論理ページ情報６３の一覧を上下に移動させて表示する第１のスクロールバー６２０を設けてもよい。
【００５５】
図５Ｂは、図５Ａに示す物理ページ情報を抜き出して示す図である。出力シート表示領域６４には、図５Ａに示すように、各物理ページに対応する複数の物理ページ情報６５の一覧が並べて表示されている。物理ページ情報６５は、小画像の一例である。
【００５６】
物理ページ情報６５には、この物理ページの出力状態を示す物理ページアイコン６５０、この物理ページが印刷媒体において何ページ目にあたるかを示す数情報６５２（以下、「物理ページ数情報６５２」ともいう。）、印刷媒体のサイズを示す物理ページサイズ情報６５４、この物理ページに例外が指定されているか否かを示す例外指定アイコン６５６等が含まれる。例外指定アイコン６５６は、例外が指定されたことを示す画像情報の一例である。
【００５７】
物理ページ情報６５は、第１の指定手段２０３によって例外が指定されたページの範囲、すなわち操作者の操作により直接的に例外が指定されたページの範囲を識別することが可能（識別可能）な表示態様で表示してもよい。具体的には、第１の指定手段２０３によって例外が指定されているページの範囲内のページに係る物理ページ情報６５を、第１の指定手段２０３による例外が指定されていないページに係る物理ページ情報６５と異なる表示態様で表示してもよい。なお、「第１の指定手段２０３による例外が指定されてない」場合には、第２の指定手段２０４により例外が繰り返して指定されている場合が含まれる。
【００５８】
より具体的には、図５Ａに示すように、第１の指定手段２０３により例外が指定されているページの範囲（図５Ａの破線枠「Ｒ」参照。）内のページに係る物理ページ情報６５の背景６４Ａの色を、繰り返しが指定されていないその他の物理ページ情報の背景６４Ｂと異なる色で表示してもよい。
【００５９】
また、第２の指定手段２０４により例外が繰り返して指定されたとき、例外の繰り返しが指定されているページの範囲の境界を示す識別画像６７を表示してもよい。具体的には、図５Ａに示すように、繰り返し周期のページの一範囲の最端のページに対応する物理ページ情報６５と、この一範囲に隣接する他の範囲の最端のページに対応する物理ページ情報６５との間に識別画像６７を表示してもよい。
【００６０】
換言すれば、隣接する識別画像６７により挟まれた物理ページ情報６５に係るページは、例外の一パターンが繰り返して指定されていることを示している。なお、識別画像６７は、例えば、縦長の棒状の図形で構成される画像としてもよい。
【００６１】
物理ページアイコン６５０は、印刷媒体を構成する各物理ページの出力状態を視覚的に示す表示態様で表示される。一例として、１つの物理ページに２つの論理ページを割り付ける割り付けが設定されている場合、１つの物理ページアイコン６５０は、この２つの論理ページにそれぞれ対応する２つの部分領域６５０Ａ，６５０Ｂを含んで構成される。
【００６２】
より具体的に、図５Ａ，図５Ｂに示すように、１つの物理ページの左右にそれぞれ１つずつ計２つの論理ページが割り付けられている場合、物理ページアイコン６５０の左右にそれぞれ割り付けられた論理ページを示す部分領域６５０Ａ，６５０Ｂが示される。
【００６３】
また、例えば、物理ページアイコン６５０を、設定されたカラーモードで区別して表示してもよい。具体的には、図示はしないが、カラーモードがカラーに設定されているとき物理ページアイコン６５０をカラーで表示し、グレースケールに設定されているときに物理ページアイコン６５０をグレースケールで表示してもよく、モノクロに設定されているときに物理ページアイコン６５０をモノクロで表示してもよい。
【００６４】
また、図５Ａ、図５Ｂに示すように、物理ページアイコン６５０上に、論理ページ数情報６３４（図５Ｂの「３５」や「３６」参照。）を付してもよい。また、物理ページ情報６５の一覧を上下に移動させて表示する第２のスクロールバー６４０を設けてもよい。
【００６５】
物理ページ数情報６５２は、物理ページを識別するために付与される番号であり、例えば、連番が該当する。物理ページ数情報６５２には、印字面に両面が設定されている場合、印刷媒体の表面か裏面かを示す文字情報（例えば、「おもて」又は「うら」等の文字情報）がさらに付与されて表示されてもよい。
【００６６】
なお、上述のとおり、本明細書では、表面と裏面とを別々の対象物として扱うが、ページ数については、説明の便宜上、裏面と表面とに同一の番号を付すものとする（図１２（ｆ）参照）。すなわち、物理ページ数情報６５２は、当該物理ページが印刷媒体において何枚目にあたるかを示す情報でもある。なお、表面と裏面とに別々の番号を付してもよい。また、割り付けを行うとき、割り付けられた各領域については、説明の便宜上、互いに別々の対象物として扱い別々の番号を付すものとする（図１２（ｄ）参照）。
【００６７】
例外指定アイコン６５６は、対象のページに例外が指定されているときに物理ページ情報６５に付与して表示し、対象のページに例外が指定されていないときに物理ページ情報６５に表示しないように制御してもよい。
【００６８】
また、第１の指定手段２０３により（すなわち、操作者の操作により直接的に）例外が指定されているページの範囲内のページに係る例外指定アイコン６５６を、当該ページの範囲外のページに係る例外指定アイコン６５６と区別できるように表示してもよい。
【００６９】
具体的には、第１の指定手段２０３により例外が指定されたページに係る例外指定アイコン６５６Ａと、第２の指定手段２０４により例外が繰り返して指定されたページに係る例外指定アイコン６５６Ｂとを互いに異なる表示態様で表示してもよい。
【００７０】
より具体的には、第１の指定手段２０３により例外が指定されたページの範囲内のページに係る例外指定アイコン６５６Ａを、当該範囲外のページに係る例外指定アイコン６５６Ｂと異なる色で表示してもよい。第１の指定手段２０３により例外が指定されたページの範囲内のページに係る例外指定アイコン６５６Ａは、第１の画像情報の一例である。当該範囲外のページに係る例外指定アイコン６５６Ｂは、第２の画像情報の一例である。
【００７１】
図６（ａ），（ｂ）は、繰り返し指定画面の一例を示す図である。繰り返し指定画面７は、操作者に対して例外の繰り返しを指定させる画面である。図６（ａ）に示すように、繰り返し指定画面７Ａには、例外の繰り返しを指定するか否かを選択するチェックボックス７１、繰り返し周期を指定する範囲指定欄７２等が含まれる。範囲指定欄７２は、例外を繰り返して指定するページの範囲内のページ数（例えば、先頭のページからのページ数）を入力する欄である。
【００７２】
また、別の例として、図６（ｂ）に示すように、開始ページを指定する開始ページ指定釦７３と、終了ページを指定する終了ページ指定釦７４とを含む、繰り返し指定画面７Ｂを設けてもよい。繰り返し指定画面７Ｂでは、例外を繰り返して指定するページの範囲の始点及び終点を指定することができる。
【００７３】
図７は、図５Ａに示す物理情報テーブル６５をスクロールしたときの表示の一例を示す図である。第２のスクロールバー６４０を操作して、物理ページ情報６５の一覧を図示の下方向に移動したとき、第１の指定手段２０３により例外が指定されている範囲（図７の「Ｒ」参照）内のページに係る物理ページ情報６５の画面上における表示位置が変更されないように制御してもよい。
【００７４】
すなわち、表示制御手段２０８は、第２のスクロールバー６４０の操作により複数の物理ページ情報６５を上下に移動させるとき、第１の指定手段２０３により例外が指定されたページに対応する物理ページ情報６５が表示されている画面上における表示位置を固定して、その他のページに対応する物理ページ情報６５のみを上下に移動させて表示するよう制御してもよい。なお、図７に示す例では、上下にスクロールする例を示したが、左右にスクロールする場合も同様に、第１の指定手段２０３により例外が指定されたページに対応する物理ページ情報６５が表示されている画面上における表示位置を固定して、その他のページに対応する物理ページ情報６５のみを左右に移動させて表示するよう制御してもよい。
【００７５】
図８（ａ）〜（ｄ）は、警告画面の一例を示す図である。警告画面８，８０は、あるページに第１の指定手段２０３により指定された例外と、第２の指定手段２０４による例外の繰り返しの指定とが重複して行われた場合に操作者に対して警告を示す警告メッセージ８０を含む画面である。
【００７６】
例えば、第２の指定手段２０４によって例外の繰り返しを指定する前に、第２の指定手段２０４により例外を繰り返して指定しようとしているページに既に第１の指定手段２０３により例外が指定されている場合、図８（ａ）に示すように、既に第１の指定手段２０３により例外が指定されていることを示す第１の警告メッセージ８１Ａを含む第１の警告画面８Ａを表示する。
【００７７】
なお、「第１の指定手段２０３により例外が指定されている場合」には、例えば、奇数のページのみに対して例外が指定されている場合、偶数のページのみに対して例外が指定されている場合、あるいは、「３−（ハイフン）」等の記号により特定の範囲のページに例外が指定されている場合等を含んでもよい。
【００７８】
また、あるページに第１の指定手段２０３により指定された例外と、第２の指定手段２０４による例外の繰り返しの指定とが重複して行われた場合に、図８（ｂ）に示すように、第２の指定手段２０４による例外の繰り返しの指定を有効にするために、予め第１の指定手段２０３により指定されていた例外を削除するか否かを選択させる第２の警告メッセージ８１Ｂを含む第２の警告画面８Ｂを表示してもよい。
【００７９】
また、第２の指定手段２０４により例外の繰り返しを指定した後に、第２の指定手段２０４により例外が繰り返して指定されたページに対して、第１の指定手段２０３によって新たに例外を指定しようとする場合、図８（ｃ）に示すように、第１の指定手段２０３による例外の指定ができないことを示す第３の警告メッセージ８１Ｃを含む第３の警告画面８Ｃを表示する。この場合、図８（ｄ）に示すように、第１の指定手段２０３による例外の指定ができないページの属性情報を含む第４の警告メッセージ８１Ｄを含む第４の警告画面８Ｄを表示してもよい。
【００８０】
（端末装置３の構成）
図９は、端末装置３の制御系の一例を示すブロック図である。この端末装置３は、各部を制御する制御部３０と、各種のデータを記憶する記憶部３１と、液晶ディスプレイ等で構成される表示部３２と、キーボード、マウス等で実現される操作部３３と、画像形成装置２との間でネットワーク４を介して通信するネットワーク通信部３７とを備える。
【００８１】
制御部３０は、ＣＰＵ（Central Processing Unit）、インターフェース等から構成されている。ＣＰＵは、記憶部３１に記憶されたプリンタドライバ３１１に従って動作することにより、受付手段３００、生成手段３０１、送信手段３０２等として機能する。各手段３００〜３０２の詳細については後述する。
【００８２】
記憶部３１は、ＲＯＭ（Read Only Memory）、ＲＡＭ（Random Access Memory）、ハードディスク等から構成され、アプリケーション３１０、プリンタドライバ３１１、文書データ３１２等の各種データを記憶する。
【００８３】
アプリケーション３１０は、例えば、文書作成プログラム、図形作成プログラム、表計算プログラム等である。アプリケーション３１０は、操作者の操作により文書を作成するものであり、作成した文書に対して、印刷を指示すると、文書データをプリンタドライバ３１１に渡す。
【００８４】
なお、既に作成した文書を記憶部３１に記憶しておき、印刷する際に記憶部３１から読み出し、印刷を指示してもよく、編集する際に記憶部３１から読み出し、編集した後に印刷を指示してもよい。
【００８５】
プリンタドライバ３１１は、文書データを画像形成装置２が解釈できるＰＤＦ（Portable Document Format)、ＰｏｓｔＳｃｒｉｐｔ（登録商標）等のページ記述言語（ＰＤＬ：Page Description Language）で記述された印刷データに変換し、印刷データ及び印刷条件を含む印刷ジョブを生成し、印刷ジョブを画像形成装置２に送信する。
【００８６】
受付手段３００は、操作部３３から入力された操作者の操作を受け付ける。また、生成手段３０１は、文書データを印刷データに変換して、変換した印刷データと実行条件と含む印刷ジョブを生成する。送信手段３０２は、受付手段３００が受け付けた操作者の操作を示す情報や、生成手段３０１が生成した印刷ジョブをネットワーク通信部３７によりネットワーク４を介して画像形成装置２に送信する。
【００８７】
（第１の実施の形態の動作）
次に、画像形成装置２の動作の一例について図１０を参照して説明する。図１０は、画像形成装置２の動作の一例を示すフローチャートである。受付手段２００は、端末装置３から送信された印刷ジョブを受け付ける（Ｓ１）。次に、取得手段２０１は、受付手段２００が受け付けた印刷ジョブから設定情報を取得する（Ｓ２）。
【００８８】
表示制御手段２０８は、操作表示部２３ａに指定表示画面６（図５Ａ参照）を表示するよう制御する（Ｓ３）。第１の指定手段２０３は、操作表示部２３ａに表示された指定表示画面６に対する操作者の操作に基づいて、特定のページに対して実行条件の例外を指定する（Ｓ４）。
【００８９】
表示制御手段２０８は、操作者の操作に応じて、操作表示部２３ａに繰り返し指定画面７（図６参照）を表示するよう制御する（Ｓ５）。第２の指定手段２０４は、操作表示部２３ａに表示された繰り返し指定画面７に対する操作者の操作に基づいて、繰り返し周期を指定する（Ｓ６）。
【００９０】
また、第２の指定手段２０４は、指定された繰り返し周期で、第１の指定手段２０３により例外が指定された特定のページよりも後のページに対して当該例外のパターンを繰り返して指定する（Ｓ７）。
【００９１】
確認手段２０５は、当該特定のページよりも後のページにおいて、あるページに第１の指定手段２０３により指定された例外の指定と、第２の指定手段２０４により繰り返して指定された例外とが重複して行われていないかどうか、すなわち、例外の重複指定がないかどうかを確認する（Ｓ８）。一例として、確認手段２０５は、第２の指定手段２０４により例外が繰り返して指定されようとしているページに予め第１の指定手段２０３により例外が指定されていないかどうかを確認する。
【００９２】
第２の指定手段２０４により例外が繰り返して指定されようとしているページに予め第１の指定手段２０３により例外が指定されていない場合（Ｓ８：Ｙｅｓ）、第１の指定手段２０３及び第２の指定手段２０４は、それぞれが指定した繰り返し情報を記憶部２１の繰り返し情報テーブル２１２に記録する（Ｓ９）。
【００９３】
表示制御手段２０８は、第１の指定手段２０３及び第２の指定手段２０４が指定した繰り返し情報に基づいて、指定表示画面６の表示態様を予め定められた表示態様で表示するよう制御する（Ｓ１０）。
【００９４】
具体的には、表示制御手段２０８は、第１の指定手段２０３又は第２の指定手段２０４により例外が指定されたページに係る物理ページ情報６５に指定例外アイコン６５６を付与して表示するよう制御する。さらに、表示制御手段２０８は、第１の指定手段２０３により例外が指定されたページに係る物理ページ情報６５に付された指定例外アイコン６５６Ａの色を、第１の指定手段２０３により例外が指定されていないページに係る物理ページ情報６５に付された指定例外アイコン６５６Ｂの色と異なる色で表示するよう制御する。
【００９５】
また、表示制御手段２０８は、第１の指定手段２０３により例外が指定されているページの範囲（図５Ａの破線枠「Ｒ」参照。）内ページに係る物理ページ情報６５の背景６４Ａの色を、当該範囲外のページに係る物理ページ情報６５の背景６４Ｂの色と異なる色で表示するよう制御する。また、第２の指定手段２０４により指定された繰り返し周期ごとに、物理ページ情報６５と物理ページ情報６５との間に識別画像６７を挿入して表示するよう制御する。
【００９６】
実行手段２０７は、操作者による印刷の実行を指示する操作に基づいて、印刷ジョブ及び記憶部２１の繰り返し情報テーブル２１２に記録された情報を参照して印刷を実行する（Ｓ１１）。
【００９７】
第２の指定手段２０４により例外が繰り返して指定しようとしているページに予め第１の指定手段２０３により例外が指定されている場合（Ｓ８：Ｎｏ）、表示制御手段２０８は、操作表示部２３ａに警告画面８，８０（図８各図参照）を表示するよう制御する（Ｓ１２）。
【００９８】
操作表示部２３ａに表示された第２の警告画面８Ｂ（図８（ｂ）参照）に対して操作者によって予め第１の指定手段２０３により指定された例外を削除する操作が行われると（Ｓ１３：Ｙｅｓ）、削除手段２０６は、当該例外の指定を削除する（Ｓ１４）。
【００９９】
この場合、例外の指定が重複する状況が解決されたことから、上述したステップＳ９〜Ｓ１１と同様に動作する。すなわち、第１の指定手段２０３及び第２の指定手段２０４が繰り返し情報を繰り返し情報テーブル２１２に記録し（Ｓ９）、表示制御手段２０８が操作表示部２３ａに指定された繰り返し情報を含む指定表示画面６を表示するよう制御し（Ｓ１０）、実行手段２０７が操作者の指示に基づいて繰り返し情報テーブル２１２を参照して印刷を実行する（Ｓ１１）。
【０１００】
＜変形例１＞
図１１は、変形例に係る指定表示画面６の一例を示す図である。例外の繰り返し周期の指定は、図１１に示すような表６８を用いて行ってもよい。この表６８には、例えば、「ページ」欄と、「カテゴリー」欄、及び「設定」欄が含まれる。第２の指定手段２０４は、表示制御手段２０８により操作表示部２３ａに表示される繰り返し指定画面７Ｃに対する操作者の操作に基づいて、繰り返し周期を指定してもよい。
【０１０１】
＜変形例２＞
上述した実施の形態では、例外の指定及び例外の繰り返しの指定は、画像形成装置２の操作表示部２３ａに対する操作に基づいて行われる場合を例に挙げて説明したが、これらの指定は、端末装置３の操作部３３に対する操作に基づいて行われるようにしてもよい。
【０１０２】
具体的には、画像形成装置２の制御部２０に、ネットワーク４を介して画面情報２１４を端末装置３に送信する送信手段を設けるとともに、端末装置３の制御部３０に表示制御手段を設けてもよい。この場合、端末装置３の表示制御手段は、画像形成装置２から送信された画面情報２１４に基づいて指定表示画面６や繰り返し指定画面７を端末装置３の表示部３２に表示するように制御し、操作者が端末装置３の表示部３２に表示された指定表示画面６や繰り返し指定画面７を操作して、端末装置３の送信手段３０２が当該操作に係る情報として繰り返し情報を画像形成装置２に送信することにより、端末装置３から繰り返し情報を指定できるようにしてもよい。なお、画面情報２１４は、端末装置３の記憶部３１に記憶されていてもよい。
【０１０３】
（実施例）
次に、図１２（ａ）〜（ｆ）を参照して、上述した実施の形態で行われる印刷の一例を示す。図１２（ａ）〜（ｆ）は、本発明の第１の実施の形態で実現されるバリアブル印刷の一例を説明する図である。バリアブル印刷とは、印刷のフォームが共通で印刷の内容が相違する印刷を予め定められた周期で繰り返して行うことをいう。バリアブル印刷は、例えばクレジットカードの顧客別請求書のように、印刷のフォーム（書式情報）は共通だが顧客ごとに印刷される内容（印刷データ）が異なる、ひとつの大量の繰り返し印刷ジョブである。バリアブル印刷のことを可変印刷ということもある。バリアブル印刷に係る印刷データは、一連の印刷データの一例である。なお、繰り返しに係るページの範囲を「セット」又は「レコード」ともいう。
【０１０４】
図１２各図に付した数字は、物理ページ数情報６５２を示す。以下の説明において、第１の指定手段２０３及び第２の指定手段２０４による指定は、特に記述のない限り、表示制御手段２０８により画像形成装置２の操作表示部２３ａに表示された指定表示画面６や繰り返し指定画面７に対する操作に基づいて行われるものとする。
【０１０５】
（１）特定のページに特定の種類の印刷媒体を使用する場合
図１２（ａ）に示すように、例えば、一つのレコードにおいて、１ページ目をコート紙とし、２ページ目を普通紙とし、３ページ目を厚紙とする印刷を３ページの周期で繰り返す場合、第１の指定手段２０３は、１ページ目の印刷媒体の種類をコート紙と設定し、２ページ目の印刷媒体の種類を普通紙と設定し、３ページ目の印刷媒体の種類を厚紙と設定する例外を指定するとともに、第２の指定手段２０４は、繰り返し周期を３と指定する。
【０１０６】
このようにすれば、実行手段２０７は、繰り返し情報テーブル２１２に基づいて、一つのレコードを、１ページ目をコート紙とし、２ページ目を普通紙とし、３ページ目を厚紙とする印刷を３ページの周期で繰り返して実行することができる。なお、この例では例外の指定を印刷媒体の種類に基づいて行っているが、画像形成装置２では印刷媒体を収納し画像形成装置内に供給する給紙トレイごとに収納される印刷媒体の種類が特定できる場合がある。このような場合には、印刷媒体の種類に代えて給紙トレイを例外の指定としてもよい。
【０１０７】
（２）特定のページのカラーモードを変更する場合
図１２（ｂ）に示すように、例えば、原稿（印刷データ）の全ページがカラーの場合において、表紙に対応する１ページ目から３ページおきに４ページ目、７ページ目・・をカラーで印刷し、本文に対応するその他のページをモノクロで印刷する場合、第１の指定手段２０３は、１ページ目のカラーモードをモノクロと設定し、２ページ目及び３ページ目のカラーモードをカラーと設定する例外を指定するとともに、第２の指定手段２０４は、繰り返し周期を３と指定する。
【０１０８】
このようにすれば、実行手段２０７は、一つのレコードを、１ページ目をモノクロとし、２ページ目及び３ページ目をカラーとする印刷を３ページの周期で繰り返して実行することができる。
【０１０９】
（３）予め定められた間隔で特定の紙媒体を挿入する場合
図１２（ｃ）に示すように、例えば、３ページおきに合紙を挿入して繰り返して印刷する場合、第１の指定手段２０３は、４ページ目を合紙とする例外を指定するとともに、第２の指定手段２０４は、繰り返し周期を４と指定する。
【０１１０】
このようにすれば、実行手段２０７は、繰り返し情報テーブル２１２に基づいて、一つのレコードを、４ページ目を合紙とする印刷を４ページの周期で繰り返して実行することができる。なお、合紙により印刷媒体を仕分けることができるため、仕分けられた合紙以外の印刷媒体を繰り返しの単位で後処理を実行してもよい。後処理には、例えば、印刷媒体を切る処理、折る処理、穴をあける処理、綴じる処理等が含まれる。
【０１１１】
（４）分冊する場合
分冊とは、小冊子を作成することをいう。この（４）の分冊の例では、説明の便宜上、印刷媒体の片面半分を１つの物理ページとして扱うものとする。
【０１１２】
図１２（ｄ）に示すように、例えば、２枚の印刷媒体で分冊を作成するとともにうち１枚を特定の種類の印刷媒体を使用して印刷することを繰り返す場合、第１の指定手段２０３は、印刷媒体の１枚目（図１２（ｄ）の太線参照）について、印刷媒体の種類をコート紙とし、割り付けを２つの論理ページの割り付けとし、印字面を両面とし、面付けを所望の設定値に設定する例外を指定し、印刷媒体の２枚目（図１２（ｄ）の細線参照）について、印刷媒体の種類を普通紙とし、割り付けを２つの論理ページの割り付けとし、印字面を両面とし、面付けを所望の設定値に設定する例外を指定するとともに、第２の指定手段２０４は、繰り返し周期を８と指定する。
【０１１３】
このようにすれば、実行手段２０７は、繰り返し情報テーブル２１２に基づいて、印刷媒体の１枚目をコート紙とし、印刷媒体の２枚目を普通紙として、合計８ページからなる小冊子を構成する印刷を繰り返すことができる。
【０１１４】
（５）先頭の予め定められたページのみバリアブル印刷の対象から除く場合
図１２（ｅ）に示すように、例えば、後処理装置に対して処理内容を指示する制御情報を記録している先頭の１ページのみを除いてその他のページを繰り返して印刷する場合、第２の指定手段２０４は、２ページ目を例外の繰り返しの開始ページとし、４ページ目を例外の繰り返しの終了ページとすることによって繰り返し周期を３と指定する。
【０１１５】
このようにすれば、実行手段２０７は、繰り返し情報テーブル２１２に基づいて、１ページ目を除いて、２ページ目、３ページ目、４ページ目を１レコードとする印刷を３ページの周期で繰り返して実行することができる。
【０１１６】
（６）特定のページを両面で印刷しその他のページを片面で印刷する場合
図１２（ｆ）に示すように、例えば、１ページ目及び２ページ目を両面で印刷し、３ページ目を片面で印刷することを繰り返す場合、第１の指定手段２０３は、１ページ目及び２ページ目の印字面を両面とし、３ページ目の印字面を片面とする例外を指定するとともに、第２の指定手段２０４は、繰り返し周期を３と指定する。
【０１１７】
このようにすれば、実行手段２０７は、繰り返し情報テーブル２１２に基づいて、一つのレコードを、１ページ目及び２ページ目を両面とし、３ページ目を片面とする印刷を３ページの周期で繰り返して実行することができる。
【０１１８】
［第２の実施の形態］
次に、第２の実施の形態について説明する。図１３は、本発明の第２の実施の形態に係る画像形成システム１の構成の一例を示す図である。第２の実施の形態は、情報処理装置としてサーバ装置５を備える点で第１の実施の形態と相違する。以下、第１の実施の形態と実質的に同一の構成要素には同一の符号を付して重複した説明を省略し、第１の実施の形態と相違する点を中心に説明する。
【０１１９】
図１３に示すように、画像形成システム１は、第１の実施の形態で説明した構成に加えて、サーバ装置５を備えている。サーバ装置５は、ネットワーク４を介して画像形成装置２及び端末装置３と接続されている。
【０１２０】
（サーバ装置５の構成）
図１４は、サーバ装置５の制御系の一例を示すブロック図である。このサーバ装置５は、各部を制御する制御部５０と、各種のデータを記憶する記憶部５１と、画像形成装置２及び端末装置３との間でネットワーク４を介して通信するネットワーク通信部５７とを備える。
【０１２１】
制御部５０は、ＣＰＵ（Central Processing Unit）、インターフェース等から構成されている。ＣＰＵは、記憶部５１に記録されたプログラム５１０に従って動作することにより、受付手段２００、取得手段２０１、第１の指定手段２０３、第２の指定手段２０４、確認手段２０５、削除手段２０６、送信手段５００等として機能する。これらの手段のうち受付手段２００、取得手段２０１、第１の指定手段２０３、第２の指定手段２０４、確認手段２０５、削除手段２０６の機能は、第１の実施の形態で説明した各手段２００〜２０６の機能と同一であるため詳細の説明は省略する。送信手段５００は、ネットワーク４を介して、画像形成装置２及び端末装置３に各種情報を送信する。
【０１２２】
記憶部２１は、ＲＯＭ（Read Only Memory）、ＲＡＭ（Random Access Memory）、ハードディスク等から構成され、プログラム５１０、繰り返し情報テーブル２１２、画面情報２１４等の各種データを記憶する。繰り返し情報テーブル２１２及び画面情報２１４は、第１の実施の形態で説明したものと同一であるため詳細の説明は省略する。
【０１２３】
（画像形成装置２及び端末装置３の構成）
画像形成装置２の制御部２０は、第１の実施の形態で説明した各手段２００〜２０８のうち、取得手段２０１、第１の指定手段２０３、第２の指定手段２０４、確認手段２０５、削除手段２０６、表示制御手段２０８は設けなくてもよい。また、画像形成装置２の記憶部２１には、繰り返し情報テーブル２１２、画面情報２１４を記憶しなくともよい。端末装置３の制御部３０は、第１の実施の形態で説明した手段に加えて、表示部３２に情報を表示するよう制御する表示制御手段（不図示）をさらに備える。
【０１２４】
（第２の実施の形態の動作）
次に、図１５を参照して、第２の実施の形態に係る画像形成システム１の動作の一例について説明する。図１５は、第２の実施の形態に係る画像形成システムの動作の一例を示すシーケンス図である。端末装置３の生成手段３０１は、操作者の操作に基づいて、印刷ジョブを生成する（Ｓ２０）。また、端末装置３の送信手段３０２は、生成された印刷ジョブをサーバ装置５に送信する（Ｓ２１）。
【０１２５】
サーバ装置５の受付手段２００は、端末装置３から送信された印刷ジョブを受け付ける（Ｓ２２）。次に、サーバ装置５の取得手段２０１は、受付手段２００が受け付けた印刷ジョブから設定情報を取得する（Ｓ２３）。
【０１２６】
サーバ装置５の送信手段５００は、画面情報２１４を端末装置３に送信する（Ｓ２４）。端末装置３の受付手段３００は、サーバ装置５から送信された画面情報２１４を受け付ける。端末装置３の表示制御手段は、表示部３２に指定表示画面６（図５Ａ参照）を表示するよう制御する（Ｓ２５）。端末装置３の受付手段３００は、表示部３２に表示された指定表示画面６に対する、操作部３３から行われる操作者の操作を受け付ける。
【０１２７】
また、端末装置３の表示制御手段は、表示部３２に繰り返し指定画面７（図６参照）を表示するよう制御する（Ｓ２６）。端末装置３の受付手段３００は、表示部３２に表示された繰り返し指定画面７に対する、操作部３３から行われる操作者の操作を受け付ける。
【０１２８】
端末装置３の送信手段３０２は、上述した操作に基づく繰り返し情報（すなわち、例外に関する情報及び例外の繰り返しに関する情報）をサーバ装置５に送信する（Ｓ２７）。サーバ装置５の受付手段２００は、端末装置３から送信された繰り返し情報を受け付ける。
【０１２９】
サーバ装置５の第１の指定手段２０３は、受け付けた繰り返し情報に基づいて、特定のページに対して実行条件の例外を指定する（Ｓ２８）。サーバ装置５の第２の指定手段２０４は、受け付けた繰り返し情報に基づいて、繰り返し周期を指定する。また、第２の指定手段２０４は、指定された繰り返し周期で、第１の指定手段２０３により例外が指定された特定のページよりも後のページに対して当該例外のパターンを繰り返して指定する（Ｓ２９）。
【０１３０】
サーバ装置５の確認手段２０５は、例外の重複指定の有無を確認する（Ｓ３０）。重複指定がない場合、第１の指定手段２０３及び第２の指定手段２０４は、繰り返し情報を繰り返し情報テーブル２１２に記録する（Ｓ３１）。
【０１３１】
サーバ装置５の送信手段５００は、繰り返し情報を含む指定表示画面６に係る画面情報２１４を端末装置３に送信する（Ｓ３２）。端末装置３の受付手段３００は、サーバ装置５から送信された画面情報２１４を受け付けるとともに、端末装置３の表示制御手段２０８は、繰り返し情報を含む指定表示画面６を予め定められた表示態様で表示部３２に表示するよう制御する（Ｓ３３）。
【０１３２】
サーバ装置５は、上述した印刷ジョブ及び繰り返し情報に基づいて、画像形成装置２に印刷の実行を指示する（Ｓ３４）。画像形成装置２の実行手段２０７は、サーバ装置５からの指示に基づいて印刷を実行する（Ｓ３５）。
【０１３３】
第２の実施の形態においても、第１の実施の形態で記載した図１２（ａ）から（ｆ）に記載の実施例の実行が可能である。また、第２の実施の形態では例外の繰り返しの指示は端末装置３で行うようにしている（Ｓ２４〜Ｓ２７）が、これらはサーバ装置５で実行するように構成してもよい。この場合にあっては、例外の繰り返し設定状況を示す画面を端末装置３で表示させる必要はなく（Ｓ３２〜Ｓ３３）、サーバ装置５が備える画面に表示すればよい。また、サーバ装置５は画像形成装置２の制御を行う、いわゆるコントローラ機能を有していてもよい。また、第１の実施の形態で説明したように、繰り返しの指示は、画像形成装置２の操作表示部２３ａから行うようにしてもよい。
【０１３４】
以上、本発明の実施の形態を説明したが、本発明の実施の形態は上記実施の形態に限定されるものではなく、本発明の要旨を変更しない範囲内で種々の変形、実施が可能である。
【０１３５】
制御部２０、３０、５０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【０１３６】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができ、クラウドサーバ等の外部サーバに格納しておき、ネットワークを介して利用することもできる。
【符号の説明】
【０１３７】
１…画像形成システム、２…画像形成装置、３…端末装置、２０…制御部、２００…受付手段、２０１…取得手段、２０３…第１の指定手段、２０４…第２の指定手段、２０５…確認手段、２０６…削除手段、２０７…実行手段、２０８…表示制御手段、２１…記憶部、２１０…プログラム、２１２…繰り返し情報テーブル、２１４…画面情報、２３…操作部、２３ａ…操作表示部、２４…画像読取部、２５…画像出力部、２７…ネットワーク通信部、３０…制御部、３００…受付手段、３０１…生成手段、３０２…送信手段、３１…記憶部、３１０…アプリケーション、３１１…プリンタドライバ、３１２…文書データ、３２…表示部、３３…操作部、３７…ネットワーク通信部、４…ネットワーク、５…サーバ装置、５０…制御部、５１…記憶部、５７…ネットワーク通信部、５００…送信手段、５１０…プログラム、６…指定表示画面、６０…例外指定領域、６２…原稿シート表示領域、６２０…第１のスクロールバー、６３…論理ページ情報、６３０…論理ページアイコン、６３２…論理ページサイズ情報、６３４…論理ページ数情報、６３５…数値画像、６４…出力シート表示領域、６４Ａ，６４Ｂ…背景、６４０…第２のスクロールバー、６５…物理ページ情報、６５０…物理ページアイコン、６５０Ａ，６５０Ｂ…部分領域、６５２…物理ページ数情報、６５４…物理ページサイズ情報、６５６，６５６Ａ，６５６Ｂ…例外指定アイコン、６７…識別画像、６８…表、７，７Ａ，７Ｂ，７Ｃ…繰り返し指定画面、７１…チェックボックス、７２…範囲指定欄、７３…開始ページ指定釦、７４…終了ページ指定釦、８…警告画面、８Ａ…第１の警告画面、８Ｂ…第２の警告画面、８Ｃ…第３の警告画面、８Ｄ…第４の警告画面、８１…警告メッセージ、８１Ａ…第１の警告メッセージ、８１Ｂ…第２の警告メッセージ、８１Ｃ…第３の警告メッセージ、８１Ｄ…第４の警告メッセージ
【図１】
2019186882.tif 000003
【図２】
2019186882.tif 000004
【図３】
2019186882.tif 000005
【図４】
2019186882.tif 000006
【図５Ａ】
2019186882.tif 000007
【図５Ｂ】
2019186882.tif 000008
【図６】
2019186882.tif 000009
【図７】
2019186882.tif 000010
【図８】
2019186882.tif 000011
【図９】
2019186882.tif 000012
【図１０】
2019186882.tif 000013
【図１１】
2019186882.tif 000014
【図１２】
2019186882.tif 000015
【図１３】
2019186882.tif 000016
【図１４】
2019186882.tif 000017
【図１５】
2019186882.tif 000018